(57)【要約】  本発明は、エクステンションヘア用リングに関し、エクステンションヘア用リングにおいて、一つの第１の貫通孔を有して所定の高さで形成されている上部リングと、一つの第２の貫通孔を有して所定の高さで形成され、前記上部リングの下部から一側へ離隔した位置に形成されており、前記上部リングと連結させる連結片によって連結されている下部リングとを含むことが好ましい。  本発明により、エクステンションヘアを着用者の毛髪に簡単、かつ迅速に装着することができると同時に、エクステンションヘアを一つ一つ着用者の毛髪に取り付けることができるので、毛髪に装着した場合、動きが滑らかであり、また、着用者が望むスタイルに取り付けることが可能である。さらに、エクステンションヘアを外すときも痛みを与えることなく速やかに外すことができるエクステンションヘア用リングが提供される。
2008517173.tif 000002
【特許請求の範囲】
【請求項１】
エクステンションヘア用リングにおいて、
一つの第１の貫通孔を有して所定の高さで形成されている上部リングと、
一つの第２の貫通孔を有して所定の高さで形成され、前記上部リングの下部から一側へ離隔した位置に形成されており、前記上部リングと連結させる連結片によって連結されている下部リングとを含むことを特徴とするエクステンションヘア用リング。
【請求項２】
前記第１の貫通孔と第２の貫通孔のうちのいずれか一つの貫通孔にエクステンションヘアが挿入固定されることを特徴とする請求項1に記載のエクステンションヘア用リング。
【発明の詳細な説明】
【技術分野】
【０００１】
本発明は、エクステンションヘア用リングに関し、より詳細には、自分の髪の毛に他の髪の毛を取り付けることによって、ヘアを綺麗にデザインすることができるエクステンションヘア用リングに関する。
【背景技術】
【０００２】
一般に、エクステンションヘアは、かつらでないヘアファッションのための新しい方法であって、自分の髪の毛に、例えば、多様なカラーで染色されている他の髪の毛を取り付けることによって、ヘアを綺麗にデザインすることができる。
【０００３】
図６及び図７は、従来のエクステンションヘアを示した図である。図示するように、髪の毛１０１が一定の幅で位置するようにし、これらの上部領域を糸１０２で裁縫する方法で結んでエクステンションヘア１００を形成する。さらに、糸１０２で結ばれた部分の横方向に沿って所定の間隙を置いて糸１０３で金属リング１０４を縛る形態で構成されている。従って、施術者は、エクステンションヘア１００を着用者が望む幅に切り、着用者が望む施術部位に位置させた後、エクステンションヘア１００に縛られている各金属リング１０４の孔に、着用者の髪の毛（図示せず）を入れ、はさみ（図示せず）などで金属リング１０４を押圧してエクステンションヘア１００を着用者の髪の毛に固定する方法によってエクステンションヘアの施術を行う。
【０００４】
一方、図８及び図９に示されるような従来の金属リング２００は、一つの金属リング２００に施術しようとするエクステンションヘアをａ、ｂのうちのいずれか一つの部位に挿入し、残りの一つの部位には、着用者の髪の毛を挿入し、はさみ（図示せず）などで金属リング２００を押圧して着用者の髪の毛に固定する方法によりエクステンションヘアの施術を行う。
【０００５】
しかし、図６及び図７に示されている従来のエクステンションヘア１００は、エクステンションヘア１００に金属リング１０４が付着されており、施術を速やかに行うことができるが、エクステンションヘア１００、すなわち髪の毛１０１が一つ一つ分離されている状態でなく、上部領域が糸１０２によって横方向に沿って一定の長さに裁縫されている状態であるため、エクステンションヘアを髪の毛に装着する場合、着用者の髪の毛と異なり、動きが不自然である。また、一側にエクステンションヘア１００の重さが偏ってかかる場合、着用者の髪の毛に固定されていた金属リング１０４が脱離してしまうという問題点がある。
【０００６】
また、図８及び図９に示されている従来の金属リング２００は、一つの金属リング２００のａ部位とｂ部位のうちのいずれか一つの部位にエクステンションヘアを入れなければならず、残りの一つの部分には、着用者の髪の毛を入れるという面倒な作業が必要であり、施術に長い時間がかかるという短所がある。特に、エクステンションヘアが金属リング２００から分離されているため、施術が非常に難しいという問題点もある。
【０００７】
この他に、従来では、シリコンを含め各種接着剤を使用してエクステンションヘアを施術した。この場合、エクステンションヘアをシリコンで一つ一つ装着しなければならないという不便があり、連結される結び部分が大きく、かつ熱に弱いという問題点があった。また、輪ゴムを使用してエクステンションヘアを施術する方法は、エクステンションヘアと着用者の髪の毛を、頭皮の毛髪部分まで結びつけるようにしており、頭皮に損傷を与えるおそれがあるという問題点があった。
【発明の開示】
【発明が解決しようとする課題】
【０００８】
そこで、本発明は、上記従来の問題点に鑑みてなされたものであって、本発明の目的は、各種接着剤を使用しなくてもエクステンションヘアを簡単、かつ迅速に施術できると同時に、除去する場合にも、痛みを与えることなく速かに外すことができるエクステンションヘア用リングを提供する。また、施術後のエクステンションヘアの動きがスムーズで、着用した人の地毛のように自然な感じを与えることができるエクステンションヘア用リングを提供することにある。
【課題を解決するための手段】
【０００９】
上記目的を達成するためになされた本発明によるエクステンションヘア用リングは、一つの第１の貫通孔を有して所定の高さで形成されている上部リングと、一つの第２の貫通孔を有して所定の高さで形成され、前記上部リングの下部から一側へ離隔した位置に形成されており、前記上部リングと連結させる連結片によって連結されている下部リングとを含むことを特徴とするエクステンションヘア用リングによって達成することができる。
【００１０】
ここで、前記第１の貫通孔と第２の貫通孔のうちのいずれか一つの貫通孔にエクステンションヘアが挿入固定されることが好ましい。
【発明を実施するための最良の形態】
【００１１】
以下、添付した図面を参照して本発明の好ましい実施形態を詳細に説明する。
【００１２】
図１は、本発明によるリングの斜視図である。図２は、図１によるリングの平面図である。図３は、図２によるＡ-Ａ線による断面図である。
【００１３】
図示するように、本発明によるエクステンションヘア用リング１０は、上部リング２０と下部リング３０とで構成されている。
【００１４】
本発明によるエクステンションヘア用リング１０を構成する上部リング２０は、金属で形成されており、一つの第１の貫通孔２１を有して所定の高さで形成されている。そして、上部リング２０の下部から一側に離隔する位置に位置するように、連結片４０によって連結される下部リング３０も金属で形成され、一つの第２の貫通孔３１を有して所定の高さで形成されている。
【００１５】
ここで、リング１０、すなわち、上部リング２０と下部リング３０を金属で形成する理由は、はさみなどでリング１０を取る場合、その形状が変形してその内部の第１の貫通孔及び第２の貫通孔（２１、３１）に挿入されたエクステンションヘア５０及び着用者の髪の毛６０を堅固に固定することができるようにするためである。
【００１６】
そして、本発明によれば、上部リング２０と下部リング３０とを連結片４０で連結する場合、第１の貫通孔及び第２の貫通孔（２１、３１）を同一軸線上に位置させずに、一側に離隔するように位置させる理由は、エクステンションヘア５０と着用者の髪の毛６０が一直線に重複して重なることがないようにするためである。
【００１７】
一方、図４は、本発明による他の実施形態を示した断面図である。同図に示したように、上部リング２０の第１の貫通孔２１と下部リング３０の第２の貫通孔３１うちのいずれか一つである第２の貫通孔３１にすでにエクステンションヘア５０を挿入して固定させた商品であって、残りの一つの第１の貫通孔２１に着用者の髪の毛６０を入れ、はさみなどで押圧して簡単に施術することができる。
【００１８】
このように構成される本発明によるエクステンションヘア用リング１０は、自分の髪の毛に他の髪の毛、すなわちエクステンションヘア５０を取り付けて自分のヘアを綺麗にデザインしようとする場合、自らリング１０を用いて直接施術を行うか、あるいはこの施術が困難な場合は、美容院などで望むスタイルにエクステンションヘア５０の施術を受けることができる。
【００１９】
本発明によるリング１０は、二つの方法によりエクステンションヘアを施術することができる。その一つは、施術中に現場で上部リング２０と下部リング３０のうちのいずれか一つのリングである下部リング３０の第２の貫通孔３１にデザインを施したエクステンションヘア５０を挿入して固定し、次いで、残りの一つの上部リング２０である第１の貫通孔２１に着用者の髪の毛６０を挿入して着用者の毛髪に固定して施術する方法である。また、もう一つは、既に第１の貫通孔及び第２の貫通孔（２１、３１）のいずれか一つの貫通孔３１に固定されたエクステンションヘア５０を残りの一つである上部リング２０の第１の貫通孔２１に着用者の髪の毛６０を挿入固定することによって簡単に施術する方法である。
【００２０】
上述したように、本発明によるエクステンションヘア用リング１０は、第１の貫通孔を有する上部リングと、第２の貫通孔を有する下部リングとからなるエクステンションヘア用リングを用いて、着用者の髪の毛に取り付ける作業を速やかに行うことができる。また、このようにして取り付けたエクステンションヘアを速やかに外すことができる。
【００２１】
以上に説明したように、本発明によれば、エクステンションヘアを着用者の毛髪に簡単かつ速かに装着することができると同時に、エクステンションヘアを一つ一つ着用者の毛髪に取り付けることができるので、毛髪に装着した場合、動きが滑らかであり、着用者が望むスタイルに取り付けることが可能である。また、エクステンションヘアを外すときも痛みを与えることなく速やかに外すことができるエクステンションヘア用リングが提供される。
【図面の簡単な説明】
【００２２】
【図１】本発明によるリングの斜視図。
【図２】図１によるリングの平面図。
【図３】図２によるＡ-Ａ線に沿って切断した断面図。
【図４】本発明による他の実施形態を示した断面図。
【図５】本発明によるリングの使用状態の例を示した斜視図。
【図６】従来のエクステンションヘアの正面図。
【図７】図６によるエクステンションヘアの平面図。
【図８】従来のリングの斜視図。
【図９】図８によるリングの平面図。
【符号の説明】
【００２３】
１０  エクステンションヘア用リング
２０  上部リング
２１  第１の貫通孔
３０  下部リング
３１  第２の貫通孔
４０  連結片
【図１】
2008517173.tif 000003
【図２】
2008517173.tif 000004
【図３】
2008517173.tif 000005
【図４】
2008517173.tif 000006
【図５】
2008517173.tif 000007
【図６】
2008517173.tif 000008
【図７】
2008517173.tif 000009
【図８】
2008517173.tif 000010
【図９】
2008517173.tif 000011
【国際調査報告】
2008517173.tif 000012
2008517173.tif 000013